(57)【特許請求の範囲】
【請求項１】
（イ）Ｕ字状の一筋の折り曲りと、その延長の受け側、及び押え側とからなる、
（ロ）受け側は、押え側よりも丈長く、一筋に延び、押え側は、受け側に対向して、ほぼ同方向に、受け側よりも丈短く延び、受け側の長手方向に対して、両横に延びる部分を有す、
（ハ）Ｕ字状の折り曲りは、正面から見るとき、受け側の延長上に真っ直ぐに見える、
（ニ）以上の如き特徴をもつ留め具。
【発明の詳細な説明】
【技術分野】
【０００１】
開封された後、段ボール箱の蓋(外蓋)を、閉じ合せるための留め具に関する。
【背景技術】
【０００２】
段ボール箱を開封した後に、閉じておく時はガムテープを貼り、開く時は剥がし取ることが多い。何度も、閉じたり開けたりするような場合には不便である。
【０００３】
従来、段ボール箱の蓋を、閉じたり開けたりに使用できるとした留め具として、幾つかのものが出願されているが、段ボール箱に何らかの細工あるいは仕掛けを要するものであったり、段ボール箱の両端から折り合せの蓋(外蓋)を押し並べて平らに閉じ合せできないものであったり、現実的には付け外し(使用)が困難なものであったり、使い廻しができないものであったりする。
【０００４】
【特許文献１】実開昭４８−１３４２７、実開昭４９−７８８２３、特開平１０−５９３５２、特開２０００−１５３８２５、特開２００１−５０２２２、特開２００４−２６１９２
【発明の開示】
【発明が解決しようとする課題】
【０００５】
１、段ボール箱を開封した後に、その蓋を閉じたり開いたり、繰り返し使用できる留め
具を得る。
２、段ボール箱の側に、何らの細工あるいは仕掛けを設けないで使用できる留め具を
得る。
３、箱の両端から折り合せの蓋(外蓋)を、押し並べて平らに閉じ合せできる留め具を得
る。
４、軽便に使用できる留め具を得る。
【課題を解決するための手段】
【０００６】
一般的な段ボール箱の蓋は、向かい合って折れる２枚の内蓋と、向かい合って折れ合う２枚の外蓋からなっている。本発明の留め具は、２枚の内蓋のどちらかの１枚に、２枚の外蓋を留め付けるかたちの留め具とした。
【０００７】
本発明は、（イ）Ｕ字状の一筋の折り曲りと、その延長の受け側、及び押え側とからなる、
（ロ）受け側は、押え側よりも丈長く、一筋に延び、押え側は、受け側に対向して、ほぼ同方向に、受け側よりも丈短く延び、受け側の長手方向に対して、両横に延びる部分を有す、
（ハ）Ｕ字状の折り曲りは、正面から見るとき、受け側の延長上に真っ直ぐに見える、
（ニ）以上の如き特徴をもつ留め具である。
ちょうど、受け側（縦辺）と押え側（の横辺）とが、十字状にクロスするかたちで挟み合う留め具とした。
【０００８】
２枚の外蓋の合せ目に沿って、縦細の受け側を差し込み、その先端部で内蓋を探り捉えたら、２枚の外蓋の合せ目に沿って、留め具全体を倒しながら押し込むことで、内蓋に２枚の外蓋を挟み付けることができる。
内蓋に挟み付けることにより、２枚の外蓋が押し並べて平らに閉じ合うものになる。
【０００９】
因みに、倒しながら押し込んだのとは反対方向に、起こしながら引き上げる(外し取る)ことで、蓋を開けることができる。
【発明の効果】
【００１０】
１、段ボール箱の側には、何らの細工あるいは仕掛けを設けることなく使用できる。
２、段ボール箱の両端から折り合せの蓋(外蓋)を、押し並べて平らに閉じ合せできる。
３、使い廻しできる。
４、ワンタッチで閉じ合せができ、ワンタッチで開け放すことができる。  
【発明を実施するための最良の形態】
【００１１】
図１に示すのは、一本の針金を折り曲げて作った実施例で、
（イ）Ｕ字状の一筋の折り曲りと、その延長の受け側、及び押え側とからなる、
（ロ）受け側は、押え側よりも丈長く、一筋に延び、押え側は、受け側に対向して、ほぼ同方向に、受け側よりも丈短く延び、受け側の長手方向に対して、両横に延びる部分を有す、
（ハ）Ｕ字状の折り曲りは、正面から見るとき、受け側の延長上に真っ直ぐに見える、
（ニ）以上の如き特徴をもつ留め具である。
そして、受け側と押え側とが、十字状にクロスするかたちで挟み合うとしたものである。
【００１２】
Ｕ字状の折り曲りが、受け側と押え側とをつなぐものである。受け側は内蓋を探り捉えるために、受け側と押え側とが相対して挟み抑えるとした分を超えて縦長(丈長)にしておくと良い。
【００１３】
受け側と押え側とを分けつなぐＵ字状の折り曲り、並びに縦長に延びる受け側は、細状あるいは筋状であること。これは２枚の外蓋の合せ目に出入り(抜き差し)する部位であるからである。
【００１４】
尚、受け側の先端部は、外蓋の合せ目から内蓋を探り捉える時に、箱の中に詰められているものを傷つけないよう、まるめておくと良い。
【００１５】
図２は、図１のものを真横から見た側面図である。押え側は、内に曲り込んでその先端部で押え付くものとしている。内に曲り込む部分で挟み入れ口を形成し、受け側との間隔をとって挟み付けしやすい形状にしている。
【００１６】
尚、図１とは対称的に、図３では、押え側を、外に反り返り際(きわ)の位置で横一線に押え付くものとしている。押え側の反り返り部分で挟み入れ口を形成し、受け側と間隔をとって挟み付けしやすい形状のものとしている。図１、図３のどちらの形態をとっても良い。
【００１７】
図３の場合は、縦筋状にのみ挟み合う形態に見えるが、これは１本の針金を折り曲げて作った実施例だからである。押え側は横に張った部位が挟み合いに働くことに違いはない。
【００１８】
図４は、図３のものを真横から見た側面図である。挟み入れ口の外側をまるめて、つまみとしている。然し、つまみを設けていると、取り扱いには便利であるが、出っ張りになるので控えめにするのが良い。
【００１９】
因みに、図１,３(あるいは図２,４)について共通して云えることであるが、受け側と押え側を分けつなぐＵ字状に折り曲りの張り膨らんだ部分を、つまみとして使用することができる。
【００２０】
実施例では、３ミリ径の針金にビニールを被った４ミリ径のものを使用した。また、    図１の場合、受け側の長さは１４センチ、押え側の長さ(横幅)は６センチ、受け側と押え側が縦横にクロスして挟み合う位置は、受け側と押え側を分けつなぐＵ字状の折り曲りから３.５センチの位置の設定で実施し、良好な結果を得た。
【００２１】
留め具の材料を特定するものではないが、Ｕ字状の折曲りと、その延長でなる受け側と押え側とで挟み抑えるとするものであること、受け側は縦細丈長であるとすることなどから、プラスチックで作るような場合は、充分に強度をもつように配慮する必要がある。
【産業上の利用可能性】
【００２２】
段ボール箱は、主に商品を出荷、搬送する手段として使用されるものであるが、その後の使用、あるいは再利用をし易いものとすることができた。段ボール箱は小物類を整理しておく上でも便利である。本発明は、段ボール箱の有効利用を促進するものである。
【図面の簡単な説明】
【００２３】
【図１】本発明の実施形態を示す留め具の斜視図である。
【図２】図１の側面図である。
【図３】本発明の実施形態を示す留め具の斜視図である。
【図４】図３の側面図である。
【符号の説明】
【００２４】
Ａ      Ｕ字状の折り曲り
Ｂ      受け側
Ｂa     まるめ
Ｃ      押え側
Ｃa     つまみ
Ｄ      挟み入れ口
【図１】
0003995691.tif 000002
【図２】
0003995691.tif 000003
【図３】
0003995691.tif 000004
【図４】
0003995691.tif 000005